(57)【要約】  内視鏡は、湾曲部の先端側に設けられ、観察光学部が固設される金属製の先端硬性部材と、先端硬性部材に一体に固設される絶縁性の樹脂部材で構成され、照明光学部を構成する透明な照明窓部及び発光素子配設穴を有する先端カバーと、発光素子配設穴内に配置され、先端カバーの有する照明窓部に臨まれて予め定めた位置に固定される発光部及び該発光素子配設穴の開口より照明窓部側に位置し、該発光素子配設穴の開口に対向する導通部を備える発光素子と、熱伝導性を有し、発光素子の導通部に接続されるとともに、電源を供給する電源用ケーブルが接続される放熱部材を兼ねる基板と、熱伝導性を有し、基板に一端側が接続され、他端側が基板より突出し、該基板に伝導された熱を放熱する板状の放熱部材と、を具備する。
2012056851.tif 000002
【特許請求の範囲】
【請求項１】
湾曲部の先端側に設けられ、観察光学部が固設される金属製の先端硬性部材と、
前記先端硬性部材に一体に固設される絶縁性の樹脂部材で構成され、照明光学部を構成する透明な照明窓部及び発光素子配設穴を有する先端カバーと、
前記発光素子配設穴内に配置され、前記先端カバーの有する照明窓部に臨まれて予め定めた位置に固定される発光部及び該発光素子配設穴の開口より前記照明窓部側に位置し、該発光素子配設穴の開口に対向する導通部を備える発光素子と、
熱伝導性を有し、前記発光素子の導通部に接続されるとともに、電源を供給する電源用ケーブルが接続される放熱部材を兼ねる基板と、
熱伝導性を有し、前記基板に一端側が接続され、他端側が前記基板より突出し、該基板に伝導された熱を放熱する板状の放熱部材と、
を具備することを特徴とする内視鏡。
【請求項２】
前記発光素子は、樹脂部材製の前記先端カバーに一体成形によって設けられることを特徴とする請求項１に記載の内視鏡。
【請求項３】
前記板状の放熱部材は、熱伝導率の高い金属板部材であって、該金属板部材の一端側は前記基板上に配置され、他端側は前記湾曲部を構成する先端湾曲駒内に配置されることを特徴とする請求項１に記載の内視鏡。
【請求項４】
前記板状の放熱部材は、可撓性を有する平編銅線であって、
前記平編銅線は、前記基板上に配置される平板状部と、屈曲されて前記湾曲部の長手中心軸に沿って配置される平編組線部とを備えることを特徴とする請求項１に記載の内視鏡。
【請求項５】
前記先端カバーを透明な樹脂部材で形成する構成において、
該先端カバーは、前記先端硬性部材に設けられた観察光学部が配置される先端凸部が挿入される貫通孔を有し、該貫通孔内に配置される該先端凸部は、前記発光素子から発せられた照明光が前記観察光学部に入射することを回避する遮光部を兼ねることを特徴とする請求項１に記載の内視鏡。
【請求項６】
前記先端カバーは、少なくとも照明窓部を構成する透明な第１樹脂部材と、前記発光素子から発せられた照明光が前記観察光学部に入射することを回避する遮光部を構成する着色された第２樹脂部材との二色成形によって形成されることを特徴とする請求項１に記載の内視鏡。
【請求項７】
前記発光素子と、前記先端カバーと、前記基板と、前記放熱部材とが一体な放熱機能付きカバーユニットを構成し、該ユニットを前記先端硬性部材に対して取り付け取り外し自在であることを特徴とする請求項１乃至６の何れか１項に記載の内視鏡。
【発明の詳細な説明】
【技術分野】
【０００１】
本発明は、照明光学系として挿入部の先端部に発光素子を配設した内視鏡に関する。
【背景技術】
【０００２】
内視鏡は、医療分野及び工業分野で広く利用されている。内視鏡では、診断或いは観察の対象が生体、プラント等の内部である。このため、内視鏡観察を行う際、観察対象を照明する光源が必要である。【０００３】
一般的な内視鏡装置では、内視鏡と、内視鏡の外部装置として光源装置を備えている。光源装置で発する照明光は、内視鏡に設けられているライトガイドに供給される。供給された照明光は、ライトガイドによって伝送され、内視鏡の挿入部先端に配置した照明窓から出射されて観察対象を照明する。【０００４】
近年、光源装置及びライトガイドファイバの組合せの代わりに、発光ダイオード等の発光素子を挿入部の先端部に設け、この発光素子の発する光で直接的に観察対象を照明する内視鏡が提案されている。【０００５】
例えば、日本国特開２００４−２４８８３５号公報（以下、文献１と記載する）には、挿入部先端部に配置したＬＥＤ照明（本発明の発光素子に対応））の発する熱によって、照明光量の減少、或いは、画像ノイズの発生を防止して、良好な観察を長時間に渡って行える内視鏡が示されている。この内視鏡においては、挿入部先端部に配置した発光素子から発する熱を挿入部後方側へ伝導する放熱部材を設けて、発光素子を冷却している。【０００６】
しかしながら、文献１において、放熱部材は、熱伝導率が高い部材で形成された直径が０．１ｍｍ以下の素線を複数本束ねた束線部材である。この束線部材は、挿入部内空間の中心位置から離れた内周面側に配置されている。このため、挿入部に設けられた湾曲部を湾曲動作させた際、湾曲部内の束線部材もその湾曲動作に伴って湾曲する。そして、湾曲部の湾曲動作が繰り替えし行われることにより、束線部材も繰り返し湾曲されて、該束線部材を構成する素線が切断されて放熱性に悪影響を及ぼすおそれがある。【０００７】
本発明は上記事情に鑑みてなされたものであり、内視鏡の先端部に配置された発光素子から発する熱を放熱して、照明光量の減少、或いは画像ノイズの発生を防止して、良好な観察を長時間に渡って行える内視鏡を提供することを目的にしている。
【発明の開示】
【課題を解決するための手段】
【０００８】
本発明の一態様に係る内視鏡は、湾曲部の先端側に設けられ、観察光学部が固設される金属製の先端硬性部材と、前記先端硬性部材に一体に固設される絶縁性の樹脂部材で構成され、照明光学部を構成する透明な照明窓部及び発光素子配設穴を有する先端カバーと、前記発光素子配設穴内に配置され、前記先端カバーの有する照明窓部に臨まれて予め定めた位置に固定される発光部及び該発光素子配設穴の開口より前記照明窓部側に位置し、該発光素子配設穴の開口に対向する導通部を備える発光素子と、熱伝導性を有し、前記発光素子の導通部に接続されるとともに、電源を供給する電源用ケーブルが接続される放熱部材を兼ねる基板と、熱伝導性を有し、前記基板に一端側が接続され、他端側が前記基板より突出し、該基板に伝導された熱を放熱する板状の放熱部材と、を具備している。
【図面の簡単な説明】
【０００９】
【図１】内視鏡の挿入部の先端面を示す図
【図２】図１のＹ２−Ｙ２線断面図であり、内視鏡の先端部の構成を説明する図
【図３】発光素子と、先端カバーとの構成を説明する断面図
【図４】先端硬性部材の構成を説明する断面図
【図５】折曲部を有する凹字形状の放熱板を説明する図
【図６】図５の凹字形状の放熱板の折曲部に平編導線を固定した放熱板を備える内視鏡の先端部の構成を説明する断面図
【図７】放熱機能付きカバーユニットと先端硬性部材との関係を説明する断面図
【図８Ａ】照明窓部の出射面が円弧状凸形状部である先端カバーを説明する断面図
【図８Ｂ】照明窓部の出射面が円弧状凹形状部である先端カバーを説明する断面図
【図９Ａ】照明窓部を透明な第１樹脂部材で構成し、照明窓部以外を遮光部を構成する第２樹脂部材で構成した先端カバーを説明する断面図
【図９Ｂ】観察光学部と照明光学部との間を遮光部を構成する第２樹脂部材で構成し、その他の部分を全て透明な第１樹脂部材で構成した先端カバーを説明する図
【図９Ｃ】観察光学部と照明光学部との間の照明光学部側を遮光部を構成する第２樹脂部材で構成し、その他の部分を全て透明な第１樹脂部材で構成した先端カバーを説明する図
【発明を実施するための最良の形態】
【００１０】
以下、図面を参照して本発明の実施の形態を説明する。  
図１、２に示すように本実施形態の内視鏡１は、細長な挿入部２を有する。内視鏡１の先端面６ａには例えば洗浄ノズル３、観察窓４ａ、処置具挿通孔２ａの開口６ｂが設けられている。  
なお、符号５は、発光素子、例えば発光ダイオードであり、後述する照明光学部２０を構成する。【００１１】
図２に示すように挿入部２は、先端側から順に先端部６、湾曲部７、図示しない管状で可撓性を有する可撓管部を連設して構成されている。湾曲部７は、先端側に先端湾曲駒７ｆを備えている。この先端湾曲駒７ｆの基端側には、湾曲駒７ａ、図示しない複数の湾曲駒が連接して、例えば上下左右方向に湾曲する構成になっている。【００１２】
先端部６は、先端カバー８と先端硬性部材９とを備えて構成されている。先端カバー８は、絶縁部材で構成されている。先端硬性部材９は、ステンレス鋼等の金属部材で構成されている。  
まず、先端カバー８について説明する。  
図３に示すように先端カバー８は、筒状に形成されている。先端カバー８は、絶縁性を有する透明な樹脂部材である例えばポリサルフォン製である。先端カバー８の先端面には、第１の開口８ａ、第２の開口８ｂ、第３の開口８ｃ（図１参照）、及び照明窓部８ｄが設けられている。【００１３】
第１の開口８ａは、洗浄ノズル３が挿通して配置される貫通孔である。第１の開口８ａには、洗浄ノズル３の噴出口の向きを規定する凸部８ａ１が設けられている。第２の開口８ｂは、先端硬性部材９の後述する先端第１凸部９ａが配置される貫通孔である。第３の開口８ｃは、前記図１に示した処置具挿通孔２ａを構成する貫通孔である。開口８ａ、８ｂ、８ｃを構成する貫通孔の中心軸（不図示）は、先端カバー８の中心軸（不図示）に平行である。【００１４】
照明窓部８ｄは、出射面が平面で構成されている。照明窓部８ｄの基端側面には発光素子５が配置される発光素子配設穴８ｅが設けられている。照明窓部８ｄと、発光素子配設穴８ｅに固設される発光素子５とによって照明光学部２０が構成される。  
発光素子５は、先端面側に発光部５ａを備え、基端面側に導通部５ｂを備えている。本実施形態において、発光素子５は、矢印３Ａに示すように発光素子配設穴８ｅの予め定めた位置に配置され、接着によって一体に固定される。  
具体的に、発光部５ａは、照明窓部８ｄの基端側の面に臨まれる。導通部５ｂは、発光素子配設穴８ｅの開口照明窓部８ｄ側に位置している。即ち、導通部５ｂは、導通部５ｂの周囲に立設する壁部８ｆによって覆われている。このことによって、金属製の先端硬性部材９と導通部５ｂとの絶縁を確実に確保して、先端部６の太径化が防止される。  
なお、破線に示すように基板２１に接続された発光素子５を矢印３Ｂに示すように先端カバー８の発光素子配設穴８ｅに配置して固設するようにしてもよい。また、発光素子５を先端カバー８の予め定めた位置に一体成形によって設けるようにしてもよい。符号８ｇは、先端硬性部材配置空間であり、先端硬性部材９の先端側部が収容される。【００１５】
前記図２に示すように発光素子５の導通部５ｂには、絶縁性を備え、且つ熱伝導率の高い例えばセラミック製の基板２１が接続される。基板２１は、例えば、角柱形状であって、図示されない一面には配線となる導電パターンを有している。導電パターンには、発光素子５に電源を供給する電源用ケーブル２２、２３が接続される。基板２１は、発光素子５で発生する熱を基端側に伝導させる放熱部材と、発光素子５と電源用ケーブル２２、２３とを電気的に接続する接続部材とを兼用している。  
本実施形態において基板２１の形状は、角柱形状に限定されるものではなく、円柱形状であってもよい。【００１６】
基板２１には、切り欠き面２１ａが形成されている。切り欠き面２１ａには板状放熱部材である放熱板２４が配置される。切り欠き面２１ａは、例えば、先端部内空間６ｃの中心軸から離れた内周面側に形成されている。板状放熱部材である放熱板２４は、例えば半田、ろう付け等により、切り欠き面２１ａに一体に固定される。なお、基板２１に形成された切り欠き面２１ａの配置位置は、先端部内空間６ｃの中心軸から離れた内周面側に限定されるものではない。切り欠き面２１ａの配置位置は、後述する図７の破線に示すように先端部内空間６ｃの中心軸側に設けるようにしてもよい。【００１７】
放熱板２４は、銅、アルミ等の熱伝導率の高い金属部材で形成されている。放熱板２４の厚み、幅、長さは、放熱する熱容量（以下、放熱量と記載する）を考慮して、また、内視鏡１の種類に応じて適宜設定される。また、放熱板２４は、必要に応じて断面形状がＬ字形状、Ｕ字形状、半円形状、凹字形状、箱形状等、所望する立体形状に形作られる。【００１８】
本図において放熱板２４は、例えば、平板である。放熱板２４は、接続部２４ａと、放熱部兼用口金２４ｂとを備えて構成されている。接続部２４ａは、基板２１の切り欠き面２１ａに配置される放熱部兼用口金２４ｂは、基板２１の端面から基端側に突出する。放熱部兼用口金２４ｂには、挿入部２内を挿通し、電源用ケーブル２２、２３が内挿された保護チューブ２５の先端部が外嵌配置され、糸巻き接着等によって一体に固定される。【００１９】
この構成によれば、放熱部兼用口金２４ｂ及び電源用ケーブル２２、２３を保護チューブ２５内に挿通させることにより、電源用ケーブル２２、２３が挿入部２内に安定して配置されるとともに、放熱部兼用口金２４ｂが挿入部内内蔵物に接触することが防止される。したがって、放熱部兼用口金２４ｂによって、チューブを傷付ける不具合、或いは信号線を切断する不具合等が解消される。【００２０】
また、放熱板２４の端部２４ｅは、内視鏡硬質部内に配置される。言い換えれば、端部２４ｅは、内視鏡１の挿入部２に備えられている湾曲部７を構成する先端湾曲駒７ｆから基端側に突出することなく配置される。これは、湾曲部７が繰り返し湾曲動作された場合、その湾曲動作に伴って放熱板２４が変形されることを防止するためである。なお、内視鏡硬質部とは、先端カバー８の先端面から先端湾曲駒７ｆの基端までである。【００２１】
このように、放熱板２４を内視鏡硬質部内に配置したことによって、湾曲部７の湾曲に伴って放熱板２４が繰り返し湾曲されて破損する不具合を確実に防止することができる。【００２２】
一方、先端硬性部材９には、洗浄ノズル３、及び観察光学部１０が設けられる。観察光学部１０は、レンズユニット１１及び撮像ユニット１５を備えて構成される。  
レンズユニット１１は、レンズ枠１２と、レンズ枠１２に配置される例えば光学レンズ４ｂ−４ｅ等とを備えて構成される。これに対して、撮像ユニット１５は、撮像装置１６と、素子枠１７とを備えて主に構成される。レンズ枠１２及び素子枠１７は、ステンレス等、耐食性に優れ、熱伝導率の低い金属部材で形成されている。【００２３】
撮像装置１６は、撮像素子１６ａ及び図示しない電子部品を実装した回路基板で構成される。撮像素子１６ａは、ＣＣＤ、ＣＭＯＳ等である。撮像素子１６ａの受光面側には、例えば２枚の光学部材であるカバーレンズ１８、１９が接着固定される。カバーレンズ１８、１９は、素子枠１７に配置され、第２カバーレンズ１９が撮像素子１６ａの受光面に配置されている。撮像装置１６からは、挿入部２の基端側に向かって複数の信号線を一纏めにした信号ケーブル１６ｂが延出している。【００２４】
図４に示すように先端硬性部材９は、先端第１凸部９ａ及び先端第２凸部９ｂを有している。先端第１凸部９ａは、構成部本体９ｍの先端側に形成され、第２の開口８ｂに配置される。先端第２凸部９ｂは、先端硬性部材配置空間８ｇに配置される。先端第１凸部９ａの先端面は、先端第２凸部９ｂの先端面から予め定めた寸法、突出するように設定されている。この結果、先端第１凸部９ａの先端面は、先端カバー８の先端面に対して面一致状態、或いは先端カバー８の先端面より突出して配置される。【００２５】
また、先端硬性部材９には、第１貫通孔９ｃ、第２貫通孔９ｄ、第３貫通孔９ｅ、及び第４貫通孔９ｆが設けられている。各貫通孔９ｃ、９ｄ、９ｅ、９ｆの中心軸（不図示）は、先端硬性部材９の中心軸（不図示）に平行である。【００２６】
第１貫通孔９ｃは、観察光学部用孔であり、レンズ枠用孔９ｃ１と素子枠用孔９ｃ２と有して構成されている。レンズ枠用孔９ｃ１にはレンズ枠１２が固設される。素子枠用孔９ｃ２には素子枠１７が遊嵌配置される。  
第２貫通孔９ｄは、ノズル用孔９ｄ１と送気送水用孔９ｄ２とを有して構成されている。ノズル用孔９ｄ１には洗浄ノズル３が固設される。第３貫通孔９ｅは、前記図１に示した処置具挿通孔２ａを構成する貫通孔である。【００２７】
第４貫通孔９ｆは、照明光学部用孔９ｆ１である。照明光学部用孔９ｆ１は、先端カバー８に一体に設けられている発光素子５の数だけ形成されている。照明光学部用孔９ｆ１は、放熱板２４を一体に固定した基板２１が通過可能な孔であり、丸孔、或いは角孔で構成される。【００２８】
上述のように構成した内視鏡１においては、先端カバー８に一体に構成された照明光学部２０の発光素子５に電源用ケーブル２２、２３を介して電源を供給することによって発光素子５が発光する。すると、発光部５ａから出射される照明光は、照明窓部８ｄを通過して観察対象を照明する。【００２９】
本実施形態において、先端第１凸部９ａの先端面が、先端カバー８の先端面に対して面一致状態、または先端カバー８の先端面より突出して配置されている。このことによって、発光素子５の発光部５ａから出射されて先端カバー８内を照明窓部８ｄに向かって透過された照明光が、この透明な先端カバー８を介して直接、観察光学部１０に侵入することを防止することができる。【００３０】
また、発光素子５が発光状態になることによって発光素子５から熱が発生する。この熱は、まず基板２１に伝導され、その後、放熱量を考慮した形状の放熱板２４の接続部２４ａ、放熱部兼用口金２４ｂに伝導されて先端部内空間６ｃに放熱される。このことによって、発光素子５の温度の上昇が防止されて照明光量が減少する不具合を防止することができると共に、発光素子５から発生した熱が先端硬性部材９に設けられた観察光学部１０のレンズ枠１２、素子枠１７を介して撮像装置１６に伝導されて画像ノイズが発生する不具合を防止することができる。【００３１】
なお、上述した実施形態においては、放熱板２４を平板形状に形成し、必要に応じて断面形状がＬ字形状、Ｕ字形状、半円形状、凹字形状、箱形状等、所望の形状に形作るとしている。しかし、発光素子５から発生する熱容量が放熱板２４の放熱量よりも大きな場合、以下の第１の構成、或いは第２の構成に示すように放熱板２４を構成する。このことによって、放熱板２４の放熱量の増大を図ることができる。【００３２】
第１の構成においては、電源用ケーブル２２、２３の代わりに、同軸線を使用する。同軸線は、１つの芯線と、その芯線の周囲に設けられるシールド線とを有する。この構成において、シールド線は、例えば熱伝導率の高い複数の銅系金属素線で構成される。第１の構成においては、同軸線のシールド線を放熱部材として放熱板２４の放熱部兼用口金２４ｂに半田等で接続する。【００３３】
この第１の構成によれば、発光素子５から発生する熱は、基板２１、放熱板２４の接続部２４ａ、放熱部兼用口金２４ｂに伝導された後、さらに、シールド線に伝導されて放熱される。  
このように、放熱部兼用口金２４ｂに、シールド線を接続することによって、放熱板２４の放熱量がシールド線によって増大されて、発光素子５で発生した熱をより確実に放熱することができる。【００３４】
第２の構成では、図５に示すように放熱板２４を例えば凹字形状に形成すると共に、放熱部兼用口金２４ｂの一部に折曲部２４ｃを設けている。折曲部２４ｃの基端平面は、後述する平板状部２６ａが接続される接続固定部２４ｄである。【００３５】
図５、図６に示すように折曲部２４ｃは、その端部２４ｅが先端湾曲駒７ｆ内の中心近傍に配置されるように適宜、折り曲げられて構成される。この結果、接続固定部２４ｄは、先端湾曲駒７ｆ内の中心近傍に配置される。接続固定部２４ｄには、具体的に、板状放熱部材である平編導線２６の平板状部２６ａが固定される。【００３６】
平編導線２６は、銅、アルミ等の熱伝導率の高い金属素線で形成される。平編導線２６は、平板状部２６ａと、可撓性を有する平編組線部２６ｂとを備えて構成されている。平板状部２６ａは、半田等で固めて板状に構成されている。、平編組線部２６ｂは、挿入部２の中央部を挿通して挿入部基端側に向かうように湾曲部７内を延出している。【００３７】
この第２の構成によれば、発光素子５から発生する熱は、基板２１、放熱板２４の接続部２４ａ、放熱部兼用口金２４ｂに伝導されて先端部内空間６ｃに放熱されると共に、基板２１、放熱板２４の接続部２４ａ、放熱部兼用口金２４ｂ、折曲部２４ｃに伝導された後、さらに、平編導線２６に伝導されて挿入部２内に放熱される。【００３８】
このように、放熱部兼用口金２４ｂに折曲部２４ｃを形成し、その折曲部２４ｃに平編導線２６を接続している。この結果、放熱板２４の放熱量が平編導線２６によって増大されて、発光素子５で発生した熱をより確実に挿入部の基端側に放熱することができる。  
また、接続固定部２４ｄを先端湾曲駒７ｆ内の中心近傍に配置し、その接続固定部２４ｄに平編導線２６の平板状部２６ａを接続し、平編組線部２６ｂを挿入部２の中央部に挿通配置させている。この結果、平編組線部２６ｂが湾曲部７の湾曲動作に伴って湾曲することが大幅に減少されて、金属素線が切断されて放熱性が低下する不具合が解消される。【００３９】
なお、放熱板２４を基板２１に接続することなく、平編導線２６の平板状部２６ａを切り欠き面２１ａに接続して、平編組線部２６ｂを挿入部２の中央部に挿通配置させて、発光素子５から発生する熱を放熱するようにしてもよい。【００４０】
図７に示すように先端カバー８に、発光素子５と、基板２１と、放熱板２４とを一体に構成して放熱機能を有する放熱機能付きカバーユニット３０を先端硬性部材９に対して着脱自在な構成にする。【００４１】
このように、先端カバー８を放熱機能付きカバーユニット３０として構成したことによって、先端カバー８と先端硬性部材９との組み付けを容易に行って先端部６を構成することができる。即ち、図７の実線に示すカバーユニット３０から突出する放熱板２４及び基板２１を、破線に示す先端硬性部材９の照明光学部用孔９ｆ１に挿通させつつ、破線に示す先端第２凸部９ｂ及び先端第１凸部９ａを実線に示す先端硬性部材配置空間８ｇ及び第２の開口８ｂに配置させることによって、先端部６を構成することができる。【００４２】
図８Ａ−図９Ｃを参照して先端カバーの他の構成例を説明する。  
上述した実施形態で示した先端カバー８は、出射面を平面で構成した照明窓部８ｄを有している。しかし、先端カバー８に設けられる照明窓部８ｄの出射面は平面に限定されるものではなく、例えば、図８Ａに示す先端カバー８１のように照明窓部８ｄの出射面を円弧状凸形状部８ｄ１として構成するようにしてもよい。【００４３】
このように、照明窓部８ｄの出射面を円弧状凸形状部８ｄ１にしてレンズ機能を持たせる。この結果、照明窓部８ｄから出射される照明光が周辺に拡散して中心光量が低下する不具合を解消することができる。【００４４】
なお、円弧状凸形状部８ｄ１の凸部長さＤは、少なくとも発光部５ａから出射される出射光の光線高の範囲ｄ内とする。また、円弧状凸形状部８ｄ１の突出長は、円弧状凸形状部８ｄ１の先端面が少なくとも先端カバー８の他の先端面より先端側に突出し、円弧状凸形状部８ｄ１から出射される照明光が中心に集光される構造であればよい。【００４５】
また、図８Ａにおいては、照明窓部８ｄの出射面を円弧状凸形状部８ｄ１としている。しかし、出射面から出射される照明光が中心に集光される構造であれば、出射面は、円弧状凸形状部８ｄ１であっても多角形凸形状部であってもよい。また、出射面から出射される照明光が中心に集光される構造であれば、図８Ｂに示す先端カバー８２のように照明窓部８ｄの出射面を円弧状凹形状部８ｄ２、或いは多角形凹形状部で構成するようにしてもよい。【００４６】
上述した実施形態において、先端部６は、絶縁性を有する透明な樹脂部材で構成した先端カバー８と、金属部材で構成された先端硬性部材９とを一体にして構成される。そして、第２の開口８ｂに配置される先端硬性部材９の先端第１凸部９ａの先端面を、先端カバー８の先端面に対して面一致、或いは先端カバー８の先端面より突出させて配置させている。この結果、発光素子５の発光部５ａから出射されて照明窓部８ｄに向かって透過された照明光が、この透明な先端カバー８を介して直接、観察光学部１０に侵入することを防止している。【００４７】
先端カバー８と先端硬性部材９とを一体にして構成される先端部６において、図９Ａ−図９Ｃに示すように先端カバー８を透明な第１樹脂部材９１と遮光部を構成する着色された第２樹脂部材９２とで構成している。【００４８】
図９Ａの先端カバー８３においては、照明窓部８ｄを第１樹脂部材９１で構成し、照明窓部８ｄ以外の部分を全て第２樹脂部材９２で構成している。この構成によれば、発光素子５の発光部５ａから出射された照明光は、透明な第１樹脂部材９１で構成された照明窓部８ｄ内を透過して観察対象に出射される。言い換えれば、照明窓部８ｄの周囲及び観察光学部１０の周囲を第２樹脂部材９２で構成したことによって、発光素子５の発光部５ａから出射される照明光が先端カバー８３を介して直接、観察光学部１０に侵入することが確実に防止される。そして、先端カバー８３は、第１樹脂部材９１と第２樹脂部材９２との二色成形によって形成される。【００４９】
なお、第１樹脂部材９１で構成される照明窓部８ｄの出射面を、前記図８Ａに示したように円弧状凸形状部８ｄ１として構成する、或いは前記図８Ｂに示したように円弧状凹形状部８ｄ２として構成するようにしてもよい。【００５０】
また、図示は省略するが、第１樹脂部材９１で構成される照明窓部８ｄの側周面を基端側から先端側にいくにしたがって径寸法が拡径するテーパー形状で形成する、或いは第１樹脂部材９１で構成される照明窓部８ｄの外径寸法を発光素子５の外径寸法より大径に形成するようにしてもよい。【００５１】
さらに、図９Ｂの先端カバー８４に示すように、観察光学部１０と照明光学部２０との間を第２樹脂部材９２で構成し、その他の部分を全て第１樹脂部材９１で構成するようにしてもよい。或いは、図９Ｃの先端カバー８５に示すように、観察光学部１０と照明光学部２０との間の例えば照明光学部２０側を半周だけ第２樹脂部材９２で構成し、その他の部分を全て第１樹脂部材９１で構成するようにしてもよい。  
このことによって、発光素子５の発光部５ａから出射される照明光が先端カバー８４、８５を介して直接、観察光学部１０に侵入することを防止することができる。なお、先端カバー８５において、観察光学部１０と照明光学部２０との間の例えば観察光学部１０側の周囲半周または全周を第２樹脂部材９２で構成し、その他の部分を全て第１樹脂部材９１で構成するようにしてもよい。先端カバー８４、８５も二色成形によって形成される。【００５２】
尚、本発明は、以上述べた実施形態のみに限定されるものではなく、発明の要旨を逸脱しない範囲で種々変形実施可能である。  
本出願は、２０１０年１０月２５日に日本国に出願された特願２０１０−２３８８００号を優先権主張の基礎として出願するものであり、上記の開示内容は、本願明細書、請求の範囲、図面に引用されたものとする。
【図１】
2012056851.tif 000003
【図２】
2012056851.tif 000004
【図３】
2012056851.tif 000005
【図４】
2012056851.tif 000006
【図５】
2012056851.tif 000007
【図６】
2012056851.tif 000008
【図７】
2012056851.tif 000009
【図８Ａ】
2012056851.tif 000010
【図８Ｂ】
2012056851.tif 000011
【図９Ａ】
2012056851.tif 000012
【図９Ｂ】
2012056851.tif 000013
【図９Ｃ】
2012056851.tif 000014
【手続補正書】
【提出日】平成24年4月26日(2012.4.26)
【手続補正１】
【補正対象書類名】明細書
【補正対象項目名】０００８
【補正方法】変更
【補正の内容】
【０００８】
本発明の一態様に係る内視鏡は、湾曲部の先端側に設けられ、観察光学部が固設される先端硬性部材と、前記先端硬性部材に一体に固設される、照明光学部を構成する透明な照明窓部及び発光素子配設穴を有する先端カバーと、前記発光素子配設穴内に配置され、前記先端カバーの有する照明窓部に臨まれて予め定めた位置に固定される発光部及び該発光素子配設穴の開口より前記照明窓部側に位置し、該発光素子配設穴の開口に対向する導通部を備える発光素子と、熱伝導性を有し、前記発光素子の導通部に接続されるとともに、電源を供給する電源用ケーブルが接続される放熱部を兼ねる基板と、熱伝導性を有し、前記基板に一端側が接続され、他端側が前記基板より突出し、該基板に伝導された熱を放熱する放熱部材と、を具備している。
【手続補正２】
【補正対象書類名】特許請求の範囲
【補正対象項目名】全文
【補正方法】変更
【補正の内容】
【特許請求の範囲】
【請求項１】
湾曲部の先端側に設けられ、観察光学部が固設される先端硬性部材と、
前記先端硬性部材に一体に固設される、照明光学部を構成する透明な照明窓部及び発光素子配設穴を有する先端カバーと、
前記発光素子配設穴内に配置され、前記先端カバーの有する照明窓部に臨まれて予め定めた位置に固定される発光部及び該発光素子配設穴の開口より前記照明窓部側に位置し、該発光素子配設穴の開口に対向する導通部を備える発光素子と、
熱伝導性を有し、前記発光素子の導通部に接続されるとともに、電源を供給する電源用ケーブルが接続される放熱部を兼ねる基板と、
熱伝導性を有し、前記基板に一端側が接続され、他端側が前記基板より突出し、該基板に伝導された熱を放熱する放熱部材と、
を具備することを特徴とする内視鏡。
【請求項２】
前記先端硬性部材は、金属製であり、
前記先端カバーは、絶縁性の樹脂部材で形成され、
前記放熱部材は、板状である、
ことを特徴とする請求項１に記載の内視鏡。
【請求項３】
前記発光素子は、前記先端カバーに一体成形によって設けられることを特徴とする請求項１に記載の内視鏡。
【請求項４】
前記板状の放熱部材は、熱伝導率の高い金属板部材であって、該金属板部材の一端側は前記基板上に配置され、他端側は前記湾曲部を構成する先端湾曲駒内に配置されることを特徴とする請求項２に記載の内視鏡。
【請求項５】
前記板状の放熱部材は、可撓性を有する平編銅線であって、
前記平編銅線は、前記基板上に配置される平板状部と、屈曲されて前記湾曲部の長手中心軸に沿って配置される平編組線部とを備えることを特徴とする請求項２に記載の内視鏡。
【請求項６】
前記先端カバーを透明な樹脂部材で形成する構成において、
該先端カバーは、前記先端硬性部材に設けられた観察光学部が配置される先端凸部が挿入される貫通孔を有し、該貫通孔内に配置される該先端凸部は、前記発光素子から発せられた照明光が前記観察光学部に入射することを回避する遮光部を兼ねることを特徴とする請求項２に記載の内視鏡。
【請求項７】
前記先端カバーは、少なくとも照明窓部を構成する透明な第１樹脂部材と、前記発光素子から発せられた照明光が前記観察光学部に入射することを回避する遮光部を構成する着色された第２樹脂部材との二色成形によって形成されることを特徴とする請求項２に記載の内視鏡。
【請求項８】
前記発光素子と、前記先端カバーと、前記基板と、前記放熱部材とが一体な放熱機能付きカバーユニットを構成し、該ユニットを前記先端硬性部材に対して取り付け取り外し自在であることを特徴とする請求項１に記載の内視鏡。
【手続補正書】
【提出日】平成24年8月17日(2012.8.17)
【手続補正１】
【補正対象書類名】明細書
【補正対象項目名】０００８
【補正方法】変更
【補正の内容】
【０００８】
本発明の一態様に係る内視鏡は、内視鏡挿入部における湾曲部より先端側に形成された、前記湾曲部を構成する先端湾曲駒を有する内視鏡硬質部の内部に設けられ、観察光学部が固設される金属製の先端硬性部材と、前記内視鏡硬質部の内部に設けられ、前記先端硬性部材に一体に固設される絶縁性の樹脂部材で構成され、照明光学部を構成する透明な照明窓部及び発光素子配設穴を有する先端カバーと、前記内視鏡硬質部の内部における前記発光素子配設穴内に配置され、前記先端カバーの有する照明窓部に臨まれて予め定めた位置に固定される発光部及び該発光素子配設穴の開口より前記照明窓部側に位置し、該発光素子配設穴の開口に対向する導通部を備える発光素子と、前記内視鏡硬質部の内部において前記発光素子の導通部に接続された、当該発光素子において発生する熱を伝導するための熱伝導性の放熱部と、当該放熱部に形成された、前記発光素子に電源を供給するための電源用ケーブルが接続される導電部と、を有する基板と、前記内視鏡硬質部の内部において、一端部が前記基板に接続され、他端部が前記基板より基端側に延設すると共に前記先端湾曲駒の基端側より突出しない前記内視鏡硬質部内に収容する位置に配置された、前記基板に伝導された前記発光素子において発生する熱を放熱するための板状形状を呈する放熱部材と、を具備している。
【手続補正２】
【補正対象書類名】特許請求の範囲
【補正対象項目名】全文
【補正方法】変更
【補正の内容】
【特許請求の範囲】
【請求項１】
内視鏡挿入部における湾曲部より先端側に形成された、前記湾曲部を構成する先端湾曲駒を有する内視鏡硬質部の内部に設けられ、観察光学部が固設される金属製の先端硬性部材と、
前記内視鏡硬質部の内部に設けられ、前記先端硬性部材に一体に固設される絶縁性の樹脂部材で構成され、照明光学部を構成する透明な照明窓部及び発光素子配設穴を有する先端カバーと、
前記内視鏡硬質部の内部における前記発光素子配設穴内に配置され、前記先端カバーの有する照明窓部に臨まれて予め定めた位置に固定される発光部及び該発光素子配設穴の開口より前記照明窓部側に位置し、該発光素子配設穴の開口に対向する導通部を備える発光素子と、
前記内視鏡硬質部の内部において前記発光素子の導通部に接続された、当該発光素子において発生する熱を伝導するための熱伝導性の放熱部と、当該放熱部に形成された、前記発光素子に電源を供給するための電源用ケーブルが接続される導電部と、を有する基板と、
前記内視鏡硬質部の内部において、一端部が前記基板に接続され、他端部が前記基板より基端側に延設すると共に前記先端湾曲駒の基端側より突出しない前記内視鏡硬質部内に収容する位置に配置された、前記基板に伝導された前記発光素子において発生する熱を放熱するための板状形状を呈する放熱部材と、
を具備することを特徴とする内視鏡。
【請求項２】
前記発光素子は、前記先端カバーに一体成形によって設けられることを特徴とする請求項１に記載の内視鏡。
【請求項３】
前記先端カバーを透明な樹脂部材で形成する構成において、
該先端カバーは、前記先端硬性部材に設けられた観察光学部が配置される先端凸部が挿入される貫通孔を有し、該貫通孔内に配置される該先端凸部は、前記発光素子から発せられた照明光が前記観察光学部に入射することを回避する遮光部を兼ねることを特徴とする請求項１または２に記載の内視鏡。
【請求項４】
前記先端カバーは、少なくとも照明窓部を構成する透明な第１樹脂部材と、前記発光素子から発せられた照明光が前記観察光学部に入射することを回避する遮光部を構成する着色された第２樹脂部材との二色成形によって形成されることを特徴とする請求項１または２に記載の内視鏡。
【請求項５】
前記発光素子と、前記先端カバーと、前記基板と、前記放熱部材とが一体な放熱機能付きカバーユニットを構成し、該ユニットを前記先端硬性部材に対して取り付け取り外し自在であることを特徴とする請求項１−４の何れか１項に記載の内視鏡。
【請求項６】
内視鏡挿入部における湾曲部より先端側に形成された、前記湾曲部を構成する先端湾曲駒を有する内視鏡硬質部の内部に設けられ、観察光学部が固設される金属製の先端硬性部材と、
前記内視鏡硬質部の内部に設けられ、前記先端硬性部材に一体に固設される絶縁性の樹脂部材で構成され、照明光学部を構成する透明な照明窓部及び発光素子配設穴を有する先端カバーと、
前記内視鏡硬質部の内部における前記発光素子配設穴内に配置され、前記先端カバーの有する照明窓部に臨まれて予め定めた位置に固定される発光部及び該発光素子配設穴の開口より前記照明窓部側に位置し、該発光素子配設穴の開口に対向する導通部を備える発光素子と、
前記内視鏡硬質部の内部において前記発光素子の導通部に接続された、当該発光素子において発生する熱を伝導するための熱伝導性の放熱部と、当該放熱部に形成された、前記発光素子に電源を供給するための電源用ケーブルが接続される導電部と、を有する基板と、
前記内視鏡硬質部の内部から前記湾曲部にかけて配設された可撓性を有する平編銅線であって、前記基板上に配置される平板状部と、前記平板状部から屈曲されて基端側に向けて延出し、前記湾曲部の長手中心軸に沿って配置される平編組線部と、を有し、前記基板に伝導された前記発光素子において発生する熱を放熱する平編銅線と、
を具備することを特徴とする内視鏡。
【国際調査報告】
2012056851.tif 000015
2012056851.tif 000016
2012056851.tif 000017
2012056851.tif 000018